(57)【特許請求の範囲】
【請求項１】
現在位置する環境の環境情報及び映像撮影デバイスのデバイスパラメータを取得するス
テップと、
上記環境情報及び上記デバイスパラメータが付加されたサンプル映像取得要請をサーバ
に送信するステップと、
上記サーバが上記環境情報及び上記デバイスパラメータに基づいて送信したサンプル映
像情報を受信した場合、上記サンプル映像情報に含まれた少なくとも１枚のサンプル映像
に基づいて、目標撮影パラメータを特定するステップと、
上記目標撮影パラメータに基づいて上記映像撮影デバイスの現在撮影パラメータを設定
するステップと、
上記映像撮影デバイスが撮影した映像であって、上記映像を撮影する際の撮影パラメー
タが付加された映像、及び、上記映像を撮影する時に位置する環境の環境情報を取得し、ユーザが上記映像について入力した上記映像の撮影ガイド情報を受信するステップと、
上記映像、上記映像を撮影する時に位置する環境の環境情報、及び上記映像の撮影ガイド情報を上記サーバに送信して、上記サーバが上記環境情報及び上記映像の撮影パラメータに基づいて上記映像をサンプル映像として保存するようにするステップと
を含むことを特徴とする撮影パラメータ設定方法。
【請求項２】
上記映像撮影デバイスのデバイスパラメータは、上記映像撮影デバイスがサポートする
撮影パラメータ範囲、或いは、上記映像撮影デバイスのデバイス識別子を含む
ことを特徴とする請求項１に記載の撮影パラメータ設定方法。
【請求項３】
上記サンプル映像情報に含まれた少なくとも１枚のサンプル映像に基づいて、目標撮影
パラメータを特定するステップは、
上記少なくとも１枚のサンプル映像を表示するステップと、
表示された上記少なくとも１枚のサンプル映像に基づく選択命令を受信すると、上記選
択命令によって選択されたサンプル映像を目標サンプル映像に特定するステップと、
上記目標サンプル映像の撮影パラメータを取得するステップと、
上記目標サンプル映像の撮影パラメータを上記目標撮影パラメータに特定するステップ
と
を含むことを特徴とする請求項１に記載の撮影パラメータ設定方法。
【請求項４】
上記サンプル映像情報は、上記少なくとも１枚のサンプル映像の中の各枚のサンプル映
像の撮影ガイド情報をさらに含み、上記撮影ガイド情報は、上記サンプル映像の撮影パラ
メータに基づいて映像を撮影するようにガイドするための情報である
ことを特徴とする請求項１乃至３のいずれか１項に記載の撮影パラメータ設定方法。
【請求項５】
表示された上記少なくとも１枚のサンプル映像に基づく選択命令を受信すると、上記選
択命令によって選択されたサンプル映像を目標サンプル映像に特定するステップの後に、
上記目標サンプル映像の撮影ガイド情報を表示するステップ
をさらに含むことを特徴とする請求項４に記載の撮影パラメータ設定方法。
【請求項６】
現在位置する環境の環境情報及び映像撮影デバイスがサポートする撮影パラメータ範囲
を取得する第１取得モジュールと、
上記環境情報及び上記撮影パラメータ範囲が付加されたサンプル映像取得要請をサーバ
に送信する第１送信モジュールと、
上記サーバが上記環境情報及び上記撮影パラメータ範囲に基づいて送信したサンプル映
像情報を受信すると、上記サンプル映像情報に含まれた少なくとも１枚のサンプル映像に
基づいて、目標撮影パラメータを特定する特定モジュールと、
上記目標撮影パラメータに基づいて上記映像撮影デバイスの現在撮影パラメータを設定
する設定モジュールと、
上記映像撮影デバイスが撮影した映像であって、上記映像を撮影する際の撮影パラメー
タが付加された映像、及び、上記映像を撮影する時に位置する環境の環境情報を取得する
第２取得モジュールと、
上記映像及び上記映像を撮影する時に位置する環境の環境情報を上記サーバに送信して
、上記サーバが上記環境情報及び上記映像の撮影パラメータに基づいて上記映像をサンプ
ル映像として保存するようにする第２送信モジュールと
ユーザが上記映像について入力した上記映像の撮影ガイド情報を受信する受信モジュールと、
上記映像の撮影ガイド情報を上記サーバに送信する第３送信モジュールと
を備えることを特徴とする撮影パラメータ設定装置。
【請求項７】
上記映像撮影デバイスのデバイスパラメータは、上記映像撮影デバイスがサポートする
撮影パラメータ範囲、或いは、上記映像撮影デバイスのデバイス識別子を含む
ことを特徴とする請求項６に記載の撮影パラメータ設定装置。
【請求項８】
上記特定モジュールは、
上記少なくとも１枚のサンプル映像を表示する第１表示ユニットと、
表示された上記少なくとも１枚のサンプル映像に基づく選択命令を受信すると、上記選
択命令によって選択されたサンプル映像を目標サンプル映像に特定する第１特定ユニット
と、
上記目標サンプル映像の撮影パラメータを取得する取得ユニットと、
上記目標サンプル映像の撮影パラメータを上記目標撮影パラメータに特定する第２特定
ユニットと
を備えることを特徴とする請求項６に記載の撮影パラメータ設定装置。
【請求項９】
上記サンプル映像情報は、上記少なくとも１枚のサンプル映像の中の各枚のサンプル映
像の撮影ガイド情報をさらに含み、上記撮影ガイド情報は、上記サンプル映像の撮影パラ
メータに基づいて映像を撮影するようにガイドするための情報である
ことを特徴とする請求項８に記載の撮影パラメータ設定装置。
【請求項１０】
上記特定モジュールは、
上記目標サンプル映像の撮影ガイド情報を表示する第２表示ユニット
をさらに備えることを特徴とする請求項９に記載の撮影パラメータ設定装置。
【請求項１１】
プロセッサと、
上記プロセッサが実行可能な命令を記憶するためのメモリと
を備え、
上記プロセッサは、
現在位置する環境の環境情報及び映像撮影デバイスのデバイスパラメータを取得し、
上記環境情報及び上記デバイスパラメータが付加されたサンプル映像取得要請をサーバ
に送信し、
上記サーバが上記環境情報及び上記デバイスパラメータに基づいて送信したサンプル映
像情報を受信した場合、上記サンプル映像情報に含まれた少なくとも１枚のサンプル映像
に基づいて、目標撮影パラメータを特定し、
上記目標撮影パラメータに基づいて上記映像撮影デバイスの現在撮影パラメータを設定し、
上記映像撮影デバイスが撮影した映像であって、上記映像を撮影する際の撮影パラメー
タが付加された映像、及び、上記映像を撮影する時に位置する環境の環境情報を取得し、ユーザが上記映像について入力した上記映像の撮影ガイド情報を受信し、
上記映像、上記映像を撮影する時に位置する環境の環境情報、及び上記映像の撮影ガイド情報を上記サーバに送信して、上記サーバが上記環境情報及び上記映像の撮影パラメータに基づいて上記映像をサンプル映像として保存する
ように構成されることを特徴とする撮影パラメータ設定装置。
【請求項１２】
プロセッサに実行されることにより、請求項１から請求項５のいずれか１項に記載の撮
影パラメータ設定方法を実現することを特徴とするプログラム。
【請求項１３】
請求項１２に記載のプログラムを記録したコンピュータ読み取り可能な記録媒体。
【発明の詳細な説明】
【相互参照】
【０００１】
本願は、出願番号がＣＮ２０１６１０４５４５３０.２であって、出願日が２０１６年６月２１日である中国特許出願に基づいて優先権を主張し、当該中国特許出願のすべての内容を援用する。
【技術分野】
【０００２】
本発明は、コンピュータ分野に関し、特に、撮影パラメータ設定方法、装置、プログラム及び記録媒体に関する。
【背景技術】
【０００３】
コンピュータ技術の発展及びユーザの生活品質の改善に伴い、ユーザは、スマートカメラ等の映像撮影デバイスを利用して、写真及び動画等を含む映像を撮影することにより、生活中の貴重な瞬間、自然の風景、等の意味のある場面を記録することができる。ここで、映像を撮影する際には、撮影パラメータを設定できる。
【０００４】
現在、ユーザは、上記映像撮影デバイスを利用して映像を撮影する時に、一般的には、現在位置する環境の環境情報に基づいて、撮影経験に従って手動的に撮影パラメータを設定する。また、自動モードを有する映像撮影デバイスは、撮影パラメータを自動的に選択する時に、固定された選択モードによって選択するだけであり、撮影する時間、場所及び環境に基づいて、最適の撮影パラメータを選択できない。
【発明の概要】
【発明が解決しようとする課題】
【０００５】
本発明は、関連技術に存在する問題を解決するために、撮影パラメータ設定方法、装置、プログラム及び記録媒体を提供する。
【課題を解決するための手段】
【０００６】
本発明に係る実施例の第１の態様によると、撮影パラメータ設定方法を提供する。
【０００７】
上記方法は、
現在位置する環境の環境情報及び映像撮影デバイスのデバイスパラメータを取得するステップと、
上記環境情報及び上記デバイスパラメータが付加されたサンプル映像取得要請をサーバに送信するステップと、
上記サーバが上記環境情報及び上記デバイスパラメータに基づいて送信したサンプル映像情報を受信した場合、上記サンプル映像情報に含まれた少なくとも１枚のサンプル映像に基づいて、目標撮影パラメータを特定するステップと、
上記目標撮影パラメータに基づいて上記映像撮影デバイスの現在撮影パラメータを設定するステップと
を含む。
【０００８】
オプションとして、上記映像撮影デバイスのデバイスパラメータは、上記映像撮影デバイスがサポートする撮影パラメータ範囲、或いは、上記映像撮影デバイスのデバイス識別子を含む。
【０００９】
オプションとして、上記サンプル映像情報に含まれた少なくとも１枚のサンプル映像に基づいて、目標撮影パラメータを特定するステップは、
上記少なくとも１枚のサンプル映像を表示するステップと、
表示された上記少なくとも１枚のサンプル映像に基づく選択命令を受信すると、上記選択命令によって選択されたサンプル映像を目標サンプル映像に特定するステップと、
上記目標サンプル映像の撮影パラメータを取得するステップと、
上記目標サンプル映像の撮影パラメータを上記目標撮影パラメータに特定するステップと
を含む。
【００１０】
オプションとして、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
【００１１】
オプションとして、表示された上記少なくとも１枚のサンプル映像に基づく選択命令を受信すると、上記選択命令によって選択されたサンプル映像を目標サンプル映像に特定するステップの後に、
上記目標サンプル映像の撮影ガイド情報を表示するステップ
をさらに含む。
【００１２】
オプションとして、上記目標撮影パラメータに基づいて上記映像撮影デバイスの現在撮影パラメータを設定するステップの後に、
上記映像撮影デバイスが撮影した映像であって、上記映像を撮影する際の撮影パラメータが付加された映像、及び、上記映像を撮影する時に位置する環境の環境情報を取得するステップと、
上記映像及び上記映像を撮影する時に位置する環境の環境情報を上記サーバに送信して、上記サーバが上記環境情報及び上記映像の撮影パラメータに基づいて上記映像をサンプル映像として保存するようにするステップと
をさらに含む。
【００１３】
オプションとして、上記映像撮影デバイスが撮影した映像、及び、上記映像を撮影する時に位置する環境の環境情報を取得するステップの後に、
入力した上記映像の撮影ガイド情報を受信するステップと、
上記映像の撮影ガイド情報を上記サーバに送信するステップと
をさらに含む。
【００１４】
本発明に係る実施例の第２の態様によると、撮影パラメータ設定装置を提供する。
【００１５】
上記装置は、
現在位置する環境の環境情報及び映像撮影デバイスのデバイスパラメータを取得する第１取得モジュールと、
上記環境情報及び上記デバイスパラメータが付加されたサンプル映像取得要請をサーバに送信する第１送信モジュールと、
上記サーバが上記環境情報及び上記デバイスパラメータに基づいて送信したサンプル映像情報を受信した場合、上記サンプル映像情報に含まれた少なくとも１枚のサンプル映像に基づいて、目標撮影パラメータを特定する特定モジュールと、
上記目標撮影パラメータに基づいて上記映像撮影デバイスの現在撮影パラメータを設定する設定モジュールと
を備える。
【００１６】
オプションとして、上記映像撮影デバイスのデバイスパラメータは、上記映像撮影デバイスがサポートする撮影パラメータ範囲、或いは、上記映像撮影デバイスのデバイス識別子を含む。
【００１７】
オプションとして、上記特定モジュールは、
上記少なくとも１枚のサンプル映像を表示する第１表示ユニットと、
表示された上記少なくとも１枚のサンプル映像に基づく選択命令を受信すると、上記選択命令によって選択されたサンプル映像を目標サンプル映像に特定する第１特定ユニットと、
上記目標サンプル映像の撮影パラメータを取得する取得ユニットと、
上記目標サンプル映像の撮影パラメータを上記目標撮影パラメータに特定する第２特定ユニットと
を備える。
【００１８】
オプションとして、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
【００１９】
オプションとして、上記特定モジュールは、
上記目標サンプル映像の撮影ガイド情報を表示する第２表示ユニット
をさらに備える。
【００２０】
オプションとして、上記装置は、
上記映像撮影デバイスが撮影した映像であって、上記映像を撮影する際の撮影パラメータが付加された映像、及び、上記映像を撮影する時に位置する環境の環境情報を取得する第２取得モジュールと、
上記映像及び上記映像を撮影する時に位置する環境の環境情報を上記サーバに送信して、上記サーバが上記環境情報及び上記映像の撮影パラメータに基づいて上記映像をサンプル映像として保存するようにする第２送信モジュールと
をさらに備える。
【００２１】
オプションとして、上記装置は、
入力した上記映像の撮影ガイド情報を受信する受信モジュールと、
上記映像の撮影ガイド情報を上記サーバに送信する第３送信モジュールと
をさらに備える。
【００２２】
本発明に係る実施例の第３の態様によると、撮影パラメータ設定装置を提供する。
【００２３】
上記装置は、
プロセッサと、
上記プロセッサが実行可能な命令を記憶するためのメモリと
を備え、
上記プロセッサは、
現在位置する環境の環境情報及び映像撮影デバイスのデバイスパラメータを取得し、
上記環境情報及び上記デバイスパラメータが付加されたサンプル映像取得要請をサーバに送信し、
上記サーバが上記環境情報及び上記デバイスパラメータに基づいて送信したサンプル映像情報を受信した場合、上記サンプル映像情報に含まれた少なくとも１枚のサンプル映像に基づいて、目標撮影パラメータを特定し、
上記目標撮影パラメータに基づいて上記映像撮影デバイスの現在撮影パラメータを設定する
ように構成される。
本発明の実施例の第４の態様によると、プログラムを提供し、当該プログラムは、プロセッサに実行されることにより、上記の方法を実現する。
本発明の実施例の第５の態様によると、記録媒体を提供し、当該記録媒体には、上記プログラムが記録されている。
【発明の効果】
【００２４】
本発明の実施例が提供する構成の有益な効果は以下のとおりである。
【００２５】
本発明の実施例によると、現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。
【００２６】
以上の統括な記述と以下の細部記述は、ただ例示的なものであり、本発明を制限するものではないと、理解するべきである。
【図面の簡単な説明】
【００２７】
ここでの図面は、明細書に合併されて本明細書の一部を構成して本発明に合致する実施例を示し、明細書とともに本発明の原理の説明するに用いられる。
【図１】例示的な一実施例に係る撮影パラメータ設定方法を示すフローチャートである。
【図２】例示的なもう一実施例に係る撮影パラメータ設定方法を示すフローチャートである。
【図３】例示的な別の一実施例に係る撮影パラメータ設定方法を示すフローチャートである。
【図４】例示的な一実施例に係る撮影パラメータ設定装置を示すブロック図である。
【図５】例示的なもう一実施例に係る撮影パラメータ設定装置の構成を示す模式図である。
【発明を実施するための形態】
【００２８】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２９】
本発明の実施例を詳細に説明する前に、まず、本発明の実施例の応用場面を説明する。ユーザは、スマートカメラ等の映像撮影デバイスを利用して、写真、動画、等を含む映像を撮影することができる。ユーザは、映像を撮影する撮影効果を高めるために、上記映像撮影デバイスの撮影パラメータを設定できる。しかし、現在、ユーザは、上記映像撮影デバイスに対する使用経験のみによって、上記映像撮影パラメータを手動的に設定してから、満足する撮影効果を得るまで、撮影効果によって上記映像撮影パラメータを調節するため、効率が低下される。このため、本発明の実施例は、撮影パラメータ設定方法を提供する。
【００３０】
図１は、例示的な一実施例に係る撮影パラメータ設定方法を示すフローチャートである。図１を参照すると、上記撮影パラメータ設定方法は、端末に用いられ、以下のステップを含む。
【００３１】
ステップ１０１において、現在位置する環境の環境情報及び映像撮影デバイスのデバイスパラメータを取得する。
【００３２】
ステップ１０２において、上記環境情報及びデバイスパラメータが付加されたサンプル映像取得要請をサーバに送信する。
【００３３】
ステップ１０３において、上記サーバが上記環境情報及びデバイスパラメータに基づいて送信したサンプル映像情報を受信すると、上記サンプル映像情報に含まれた少なくとも１枚のサンプル映像に基づいて、目標撮影パラメータを特定する。
【００３４】
ステップ１０４において、上記目標撮影パラメータに基づいて上記映像撮影デバイスの現在撮影パラメータを設定する。
【００３５】
本発明の実施例において、現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。
【００３６】
オプションとして、上記映像撮影デバイスのデバイスパラメータは、上記映像撮影デバイスがサポートする撮影パラメータ範囲、或いは、上記映像撮影デバイスのデバイス識別子を含む。
【００３７】
オプションとして、上記サンプル映像情報に含まれた少なくとも１枚のサンプル映像に基づいて、目標撮影パラメータを特定するステップは、
上記少なくとも１枚のサンプル映像を表示するステップと、
表示された上記少なくとも１枚のサンプル映像に基づく選択命令を受信すると、上記選択命令によって選択されたサンプル映像を目標サンプル映像に特定するステップと、
上記目標サンプル映像の撮影パラメータを取得するステップと、
上記目標サンプル映像の撮影パラメータを上記目標撮影パラメータに特定するステップとを含む。
【００３８】
オプションとして、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
オプションとして、表示された上記少なくとも１枚のサンプル映像に基づく選択命令を受信すると、上記選択命令によって選択されたサンプル映像を目標サンプル映像に特定するステップの後に、
上記目標サンプル映像の撮影ガイド情報を表示するステップをさらに含む。
【００３９】
オプションとして、上記目標撮影パラメータに基づいて上記映像撮影デバイスの現在撮影パラメータを設定するステップの後に、
上記映像撮影デバイスが撮影した映像であって、上記映像を撮影する際の撮影パラメータが付加された映像、及び、上記映像を撮影する時に位置する環境の環境情報を取得するステップと、
上記映像及び上記映像を撮影する時に位置する環境の環境情報を上記サーバに送信して、上記サーバが上記環境情報及び上記映像の撮影パラメータに基づいて上記映像をサンプル映像として保存するようにするステップとをさらに含む。
【００４０】
オプションとして、上記映像撮影デバイスが撮影した映像、及び、上記映像を撮影する時に位置する環境の環境情報を取得するステップの後に、
入力した上記映像の撮影ガイド情報を受信するステップと、
上記映像の撮影ガイド情報を上記サーバに送信するステップとをさらに含む。
【００４１】
上記の全てのオプションの構成を任意に組み合わせて、本発明のオプションの実施例を構成してもよく、本発明の実施例では詳細に説明しない。
【００４２】
図２は、例示的な一実施例に係る撮影パラメータ設定方法を示すフローチャートである。図２を参照すると、上記撮影パラメータ設定方法は、映像撮影デバイスに用いられ、以下のステップを含む。
【００４３】
ステップ２０１において、上記映像撮影デバイスにより、現在位置する環境の環境情報及び映像撮影デバイスのデバイスパラメータを取得する。
【００４４】
互いに異なる映像撮影デバイスは、一般的には、例えば、サポートする撮影パラメータ範囲等の、互いに異なるデバイスパラメータを有する。しかし、上記映像撮影デバイスを利用して映像を撮影する時に、現在位置する環境の環境情報に基づいて、互いに異なる撮影パラメータを設定する必要がある。それで、上記映像撮影デバイスは、上記撮影パラメータを設定する効率及び精度を改善するために、現在位置する環境の環境情報及び上記映像撮影デバイスのデバイスパラメータを取得してもよい。
【００４５】
ここで、上記映像撮影デバイスは、スマート携帯電話、スマートカメラ等の、映像を撮影できる同時にネットワークに接続できるデバイスであってもよい。
【００４６】
上記映像撮影デバイスを利用して映像を撮影することは、写真を撮影すること、或いは、動画を撮影することを、含んでもよく、本発明の実施例ではこれらに対して制限しないことを、説明する必要がある。
【００４７】
ここで、現在位置する環境の環境情報は、現在位置する環境の温度、湿度、風向、風速、標高、気圧、地理位置、天気情況、等のような情報の中の少なくとも一つを含む。当然ながら、実際の応用において、上記環境情報は、現在位置する環境に関するその他の情報をさらに含んでもよく、本発明の実施例ではこれらに対して制限しない。
【００４８】
上記映像撮影デバイスは、上記環境情報が現在位置する地理位置であると、例えば、ＧＰＳ（Ｇｌｏｂａｌ Ｐｏｓｉｔｉｏｎｉｎｇ Ｓｙｓｔｅｍ）のような衛星測位技術によって現在位置する地理位置を取得してもよいことを、説明する必要がある。
【００４９】
上記映像撮影デバイスのデバイスパラメータは、上記映像撮影デバイスがサポートする撮影パラメータ範囲、或いは、上記映像撮影デバイスのデバイス識別子をさらに含む。
【００５０】
ここで、映像撮影デバイスは、複数の撮影パラメータを含んでもよい。上記映像撮影デバイスのデバイスパラメータが上記映像撮影デバイスがサポートする撮影パラメータ範囲であると、上記映像撮影デバイスが上記サンプル映像の取得要請を送信する速度が、相対的に遅くなる可能がある。同一の映像撮影デバイスにおいて、上記映像撮影デバイスがサポートする撮影パラメータ範囲は、一般的には、固定されている。このため、上記映像撮影デバイスが上記サンプル映像の取得要請を送信する効率を高めるために、さらに、撮影パラメータを設定する効率を高めるために、上記映像撮影デバイスのデバイスパラメータを上記映像撮影デバイスのデバイス識別子に代替してもよい。
【００５１】
上記映像撮影デバイスがサポートする撮影パラメータ範囲とは、上記映像撮影デバイスに設定できる撮影パラメータの値の範囲であることを、説明する必要がある。
【００５２】
上記映像撮影デバイスの撮影パラメータは、シャッター速度、開口値、ＩＳＯ（Ｉｎｔｅｒｎａｔｉｏｎａｌ Ｓｔａｎｄａｒｄｓ Ｏｒｇａｎｉｚａｔｉｏｎ）感度、等パラメータ、及び、色温度、露出補正、等パラメータを含むことを、さらに説明する必要がある。当然ながら、実際の応用において、上記映像撮影デバイスの撮影パラメータは、例えば、焦点距離、上記映像撮影デバイスがサポートするファイル形式、解像度、等のようなその他のパラメータをさらに含んでもよく、本発明の実施例ではこれらに対して制限しない。
【００５３】
上記デバイス識別子は、上記映像撮影デバイスを識別するためのものであり、上記映像撮影デバイスのデバイスモデル、出荷シリアル番号、等であってもよく、本発明の実施例ではこれらに対して制限しないことを、さらに説明する必要がある。
【００５４】
上記映像撮影デバイスは、撮影命令を受信した場合、現在位置する環境の環境情報をさらに取得してもよい。
【００５５】
上記撮影命令は、ユーザにより所定の操作を実行してトリガしてもよいし、上記所定の操作は、クリック操作、タッチ操作、等の操作であってもよいことを、説明する必要がある。当然ながら、実際の応用において、上記所定の操作は、さらに、その他の操作であってもよく、本発明の実施例ではこれらに対して制限しない。
【００５６】
また、本発明の実施例においては、上記映像撮影デバイスが撮影命令を受信した場合に、現在位置する環境の環境情報を取得するための操作をトリガする例を挙げて説明する。実際の応用において、上記映像撮影デバイスは、その他のタイミングに、現在位置する環境の環境情報を取得するための操作を実行してもよい。例えば、一実現形態において、上記映像撮影デバイスは、撮影パラメータ取得命令を受信した場合、現在位置する環境の環境情報を取得するための操作を実行してもよく、本発明の実施例ではこれらに対して制限しない。
【００５７】
上記撮影パラメータ取得命令は、ユーザが興味を持つ場面に当てた時に、上記所定の操作を実行してトリガしてもよいことを、説明する必要がある。
【００５８】
例えば、映像撮影デバイスが取得した現在位置する環境の環境情報が、陝西西安鐘楼、晴れ、３５℃であり、取得した上記映像撮影デバイスがサポートする撮影パラメータ範囲が、シャッター速度範囲が１秒、１/２秒、１/４秒、１/８秒、１/１５秒、１/３０秒、１/６０秒、１/１２５秒、１/２５０秒、１/５００秒、１/１０００秒、１/２０００秒であり、開口値範囲がｆ１、ｆ２、ｆ４、ｆ８、ｆ１６、ｆ３２、ｆ６４であり、ＩＳＯ感度範囲が１００、２００、４００、８００、１６００、３２００であってもよい。
【００５９】
ステップ２０２において、上記映像撮影デバイスにより、上記環境情報及び上記デバイスパラメータが付加されたサンプル映像取得要請をサーバに送信する。
【００６０】
位置する環境が同一であると、映像撮影デバイスが撮影した映像も同一である可能もあり、同一の映像を撮影する際の撮影パラメータが同一であってもよい。このため、上記映像撮影デバイスは、上記サーバにサンプル映像取得要請を送信して、現在位置する環境の環境情報及び上記映像撮影デバイスのシステムパラメータと一致するサンプル映像を取得して、取得したサンプル映像に基づいて、撮影パラメータを設定してもよい。
【００６１】
上記映像撮影デバイスは、サンプル映像取得要請をサーバに送信する前に、ブルートゥース、ＷＩＦＩ（Ｗｉｒｅｌｅｓｓ Ｆｉｄｅｌｉｔｙ）等の方式によって、上記サーバと接続を構築して、構築された接続によって、上記サーバにサンプル映像取得要請を送信してもよいことを、説明する必要がある。当然ながら、実際の応用において、上記映像撮影デバイスは、その他の方式によって上記サーバと接続を構築してもよく、本発明の実施例ではこれらに対して制限しない。 
【００６２】
上記のように、上記サンプル映像取得要請の中に付加された上記映像撮影デバイスのデバイスパラメータは、上記映像撮影デバイスがサポートする撮影パラメータ範囲、或いは、上記映像撮影デバイスのデバイス識別子を、さらに、含んでもよい。このため、上記サーバは、上記映像撮影デバイスのデバイスパラメータが上記映像撮影デバイスのデバイス識別子であると、上記サンプル映像取得要請を受信すると、上記デバイス識別子に基づいて、上記デバイス識別子に対応される上記映像撮影デバイスがサポートする撮影パラメータ範囲を特定する。
【００６３】
上記サーバは、上記サンプル映像取得要請を受信する前に、複数の映像撮影デバイスのデバイス識別子及び上記複数の映像撮影デバイスの中の各々の映像撮影デバイスがサポートする撮影パラメータ範囲を保存してもよいことを、説明する必要がある。その後に、上記サーバは、上記サンプル映像取得要請を受信すると、上記サンプル映像取得要請の中に付加された上記デバイス識別子に基づいて、と上記デバイス識別子に対応される上記映像撮影デバイスがサポートする撮影パラメータ範囲を特定してもよい。
【００６４】
さらに、上記映像撮影デバイスは、写真を撮影してもよいし、動画を撮影してもよいし、動画を撮影する際の撮影パラメータと写真を撮影する際の撮影パラメータは、互いに異なる可能がある。このため、上記映像撮影デバイスが動画を撮影する際に、写真を撮影する際の撮影パラメータを使用すると、動画撮影の撮影効果に影響をえることになる。このため、撮影パラメータを設定する精度及び映像を撮影する効果を改善するために、上記サンプル映像取得要請の中に、サンプル映像種類がさらに付加されてもよい。上記サンプル映像種類は、イメージ、或いは、動画を含み、上記サーバに、対応される種類のサンプル映像を送信するように指示する。
【００６５】
ステップ２０３において、上記サーバにより、上記サンプル映像取得要請を受信すると、上記環境情報及び上記デバイスパラメータに基づいて、少なくとも１枚のサンプル映像を含むサンプル映像情報を、上記映像撮影デバイスに送信する。
【００６６】
上記サーバ中に複数枚のサンプル映像、及び、各枚のサンプル映像を撮影する際の撮影パラメータ及び位置する環境の環境情報が保存されている。このため、上記サーバは、上記サンプル映像取得要請を受信すると、上記サンプル映像取得要請に付加された環境情報及び上記デバイスパラメータに基づいて、少なくとも１枚のサンプル映像が含まれたサンプル映像情報を、上記映像撮影デバイスに送信してもよい。
【００６７】
上記映像撮影デバイスの上記サンプル映像情報に基づいて撮影パラメータを設定する精度及び成功率を確保するために、上記少なくとも１枚のサンプル映像の中の各１枚のサンプル映像毎に、上記サンプル映像を撮影する際に位置する環境の環境情報を、上記サンプル映像取得要請に付加された環境情報と同一にし、上記サンプル映像を撮影する際の撮影パラメータの数を、上記サンプル映像取得要請に付加された撮影パラメータの数と同一にし、且つ、上記サンプル映像を撮影する際の撮影パラメータを、上記映像撮影デバイスがサポートする上記撮影パラメータ範囲の中に属するようにする必要がある。
【００６８】
上記サーバは、複数のサンプル映像提供デバイスが送信した映像、及び、上記映像を撮影する時に位置する環境の環境情報を受信してもよいことを、説明する必要がある。上記複数のサンプル映像提供デバイスが送信した映像の中には、一般的に、いずれも、上記映像を撮影する際の撮影パラメータが付加されている。このため、上記サーバは、受信した映像の撮影パラメータ及び環境情報に基づいて、上記映像をサンプル映像として保存する。
【００６９】
サンプル映像提供デバイスは、上記サーバと接続を構築できるし、且つ、少なくとも１枚のサンプル映像、及び、上記サンプル映像を撮影する際の撮影パラメータ及び位置する環境の環境情報が保存されているデバイスであってもよいことを、さらに説明する必要がある。上記サンプル映像提供デバイスは、コンピュータ、スマート携帯電話、スマートカメラ、等のデバイスを含み、本発明の実施例ではこれらに対して制限しない。
【００７０】
サーバの上記環境情報及び上記撮影パラメータ範囲に基づいて上記映像撮影デバイスにサンプル映像情報を送信する効率を、さらに、改善するために、上記サーバは、保存されているサンプル映像の識別子、撮影パラメータ及び環境情報の間の対応関係の中から、環境情報が上記サンプル映像取得要請の中に付加された上記環境情報と同一であり、撮影パラメータが上記サンプル映像取得要請の中に付加された撮影パラメータと同一であり、且つ、上記撮影パラメータ範囲内に属するサンプル映像の識別子に対応されるサンプル映像を取得してもよい。
【００７１】
ここで、上記サンプル映像の識別子は、上記サーバの中で１枚のサンプル映像を唯一に識別するためのものである。上記サーバは、上記サンプル映像の識別子に対応されるサンプル映像を、サンプル映像の識別子、撮影パラメータ及び環境情報の間の対応関係の中に保存する前に、上記サンプル映像の識別子を特定する。
【００７２】
例えば、上記サーバが受信したサンプル映像取得要請１中に付加された環境情報１が、陝西西安鐘楼、晴れ、３５℃であり、サンプル映像取得要請１に付加された上記映像撮影デバイスがサポートする撮影パラメータ範囲１が、シャッター速度範囲が１秒、１/２秒、１/４秒、１/８秒、１/１５秒、１/３０秒、１/６０秒、１/１２５秒、１/２５０秒、１/５００秒、１/１０００秒、１/２０００秒であり、開口値範囲がｆ１、ｆ２、ｆ４、ｆ８、ｆ１６、ｆ３２、ｆ６４であり、ＩＳＯ感度範囲が１００、２００、４００、８００、１６００、３２００であってもよい。上記サーバは、上記環境情報１及び上記撮影パラメータ範囲１に基づいて、以下のような表１に示したサンプル映像の識別子、撮影パラメータ及び環境情報の間の対応関係中から、サンプル映像１、サンプル映像３及びサンプル映像４のような３枚のサンプル映像を取得し、取得した３枚のサンプル映像をサンプル映像情報１に特定する。
【表１】
0006538079.tif 000002
【００７３】
本発明の実施例は、上記の表１に示したサンプル映像の識別子、撮影パラメータ及び環境情報の間の対応関係の例を挙げて説明するだけであり、上記の表１は本発明の実施例を限定しないことを、説明する必要がある。
【００７４】
上記サーバは、上記環境情報及び上記撮影パラメータ範囲に基づいて、上記映像撮影デバイスにサンプル映像情報を送信する前に、複数枚のサンプル映像、各枚のサンプル映像を撮影する際の撮影パラメータ及び位置する環境の環境情報を、サンプル映像の識別子、撮影パラメータ及び環境情報の間の対応関係中に保存してもよいことを、さらに説明する必要がある。
【００７５】
ユーザのサンプル映像に基づく映像の撮影をさらに便利にするために、また、映像撮影の成功率を解決するために、上記サンプル映像情報には、上記少なくとも１枚のサンプル映像の中の各枚のサンプル映像の撮影ガイド情報が含まれていてもよい。上記撮影ガイド情報は、上記サンプル映像の撮影パラメータに基づいて映像を撮影するようにガイドするための情報である。
【００７６】
ここで、上記少なくとも１枚のサンプル映像の中の各枚のサンプル映像毎に、上記サンプル映像の撮影ガイド情報は、上記サンプル映像を撮影する際の撮影パラメータに対する説明であってもよい。当然ながら、実際の応用において、上記撮影ガイド情報は、上記サンプル映像に関連するその他の情報であってもよいし、例えば、上記サンプル映像を撮影するための図面説明、等であってもよく、本発明の実施例ではこれらに対して具体的に限定しない。
【００７７】
上記少なくとも１枚のサンプル映像の中の各枚のサンプル映像毎に、上記サンプル映像の撮影ガイド情報は、上記サンプル映像を送信したサンプル映像提供デバイスが上記サンプル映像に対して受信したユーザが入力した情報であってもよいことを、説明する必要がある。上記サンプル映像提供デバイスは、ユーザが入力した情報を受信すると、上記受信した情報を上記サンプル映像の撮影ガイド情報に特定して、上記サンプル映像の撮影ガイド情報をサーバに送信する。上記サーバは、サンプル映像の撮影ガイド情報を受信すると、サンプル映像の撮影ガイド情報を保存する。
【００７８】
さらに、写真を撮影する際の撮影パラメータと、動画を撮影する際の撮影パラメータとは、一般的には、互いに異なる。このため、撮影パラメータを設定する精度を改善するために、上記サンプル映像取得要請中にサンプル映像種類がさらに付加されていると、上記サーバは、上記映像撮影デバイスに送信するサンプル映像情報中には上記サンプル映像種類のサンプル映像のみ含まれている。
【００７９】
ステップ２０４において、上記映像撮影デバイスにより、上記サーバが上記環境情報及び上記デバイスパラメータに基づいて送信したサンプル映像情報を受信すると、上記サンプル映像情報に含まれた少なくとも１枚のサンプル映像に基づいて、目標撮影パラメータを特定する。
【００８０】
上記サンプル映像情報は上記サーバが上記環境情報及び上記デバイスパラメータに基づいて送信した情報であるため、上記サンプル映像情報中に含まれている少なくとも１枚のサンプル映像中の各枚のサンプル映像毎に、撮影上記サンプル映像位置する環境情報は上記映像撮影デバイス現在位置する環境と同一であり、且つ、上記サンプル映像を撮影する際の撮影パラメータは上記映像撮影デバイスのデバイスパラメータと一致する。このため、上記サンプル映像情報に含まれた少なくとも１枚のサンプル映像に基づいて、上記目標撮影パラメータを特定してもよい。
【００８１】
ここで、上記映像撮影デバイスが上記サンプル映像情報に含まれた少なくとも１枚のサンプル映像に基づいて目標撮影パラメータを特定する操作は、上記少なくとも１枚のサンプル映像を表示するステップと、表示された上記少なくとも１枚のサンプル映像に基づく選択命令を受信すると、上記選択命令によって選択されたサンプル映像を目標サンプル映像に特定するステップと、上記目標サンプル映像の撮影パラメータを取得するステップと、上記目標サンプル映像の撮影パラメータを上記目標撮影パラメータに特定するステップとを含んでもよい。
【００８２】
上記選択命令はユーザによって所定の操作を実行してトリガした命令であってもよいことを、説明する必要がある。
【００８３】
上記サンプル映像中には、一般的には、上記サンプル映像を撮影する際の撮影パラメータが付加されているため、上記映像撮影デバイスは、上記目標サンプル映像中から目標サンプル映像の撮影パラメータを取得してもよいことを、さらに説明する必要がある。当然ながら、実際の応用において、上記映像撮影デバイスは、さらに、その他の方式によって目標サンプル映像の撮影パラメータを取得してもよい。例えば、もう一実現形態において、上記サーバは、上記少なくとも１枚のサンプル映像の中の各枚のサンプル映像の撮影パラメータを上記サンプル映像情報中に付加してもよい。その後、上記映像撮影デバイスは、上記サンプル映像情報中から、上記目標サンプル映像の撮影パラメータを取得してもよい。
【００８４】
例えば、上記映像撮影デバイスは、サンプル映像情報１を受信し、サンプル映像情報１の中には、サンプル映像１、サンプル映像３及びサンプル映像４のような３枚のサンプル映像が付加されている。上記映像撮影デバイスは、３枚のサンプル映像に対する選択命令を受信し、上記選択命令によって選択されたサンプル映像がサンプル映像１であると、サンプル映像１を、目標サンプル映像に特定して、サンプル映像１の中から、サンプル映像１に付加された撮影パラメータを取得する。取得した撮影パラメータは、シャッター速度が１秒であり、開口値がｆ１であり、ＩＳＯ感度が１００である。すると、シャッター速度を１秒に特定し、開口値をｆ１に特定し、ＩＳＯ感度を１００に特定して、目標撮影パラメータを特定する。
【００８５】
さらに、映像を撮影する撮影効果を改善するために、また、上記目標サンプル映像及び目標撮影パラメータ映像に基づいて撮影する効率を改善するために、上記サンプル映像情報に、上記少なくとも１枚のサンプル映像の中の各枚のサンプル映像の撮影ガイド情報がさらに含まれていると、上記映像撮影デバイスは、上記目標サンプル映像の撮影ガイド情報を表示してもよい。
【００８６】
ここで、上記映像撮影デバイスは、ウィンドウ表示、ポップアップウィンドウ表示、等の方法によって、上記目標サンプル映像の撮影ガイド情報を表示してもよい。当然ながら、実際の応用において、上記映像撮影デバイスは、その他の方法によって、上記目標サンプル映像の撮影ガイド情報を表示してもよく、本発明の実施例ではこれらに対して制限しない。
【００８７】
ステップ２０５において、上記映像撮影デバイスにより、上記目標撮影パラメータに基づいて上記映像撮影デバイスの現在撮影パラメータを設定する。
【００８８】
目標サンプル映像の環境情報と上記映像撮影デバイス位置する環境の環境情報とは同一であり、且つ、目標撮影パラメータも上記映像撮影デバイスがサポートする撮影パラメータ範囲内に属するため、上記映像撮影デバイスは、上記目標撮影パラメータに基づいて、上記映像撮影デバイスの現在撮影パラメータを正確に設定して、映像を撮影する効果を改善することができる。
【００８９】
さらに、上記サーバ中に保存されているサンプル映像の数が多いほど、上記サーバが送信するサンプル映像情報中に含まれている少なくとも一个サンプル映像の数も増えることなり、撮影パラメータを設定する精度も高くなる。このため、上記サーバ中に保存されるサンプル映像の数を増加するために、上記映像撮影デバイスが、上記映像撮影デバイスが撮影した映像であって、上記映像を撮影する際の撮影パラメータが付加された映像、及び、上記映像を撮影する時に位置する環境の環境情報を取得し、上記映像及び上記映像を撮影する時に位置する環境の環境情報を上記サーバに送信するようにし、上記サーバが上記環境情報及び上記映像の撮影パラメータに基づいて上記映像をサンプル映像として保存するようにしてもよい。
【００９０】
ここで、上記映像撮影デバイスは、以下の二種の実現形態によって、上記映像撮影デバイスが撮影した映像、及び、上記映像を撮影する時に位置する環境の環境情報を取得してもよい。
【００９１】
第１の実現形態において、上記映像撮影デバイスは、所定の時間間隔で、現在時間から所定の期間内に撮影した映像、及び、上記映像を撮影する際に位置する環境の環境情報を、上記サーバに送信する。
【００９２】
ここで、第１の実現形態によっては、上記映像撮影デバイスと上記サーバとの間のインタラクティブ回数を減少した同時に、上記映像撮影デバイスの電量を節約した。
【００９３】
上記所定の時間間隔は、上記映像撮影デバイスにより、上記映像撮影デバイスが撮影した映像、及び、上記映像を撮影する時に位置する環境の環境情報を取得する前に特定してもよいことを、説明する必要がある。上記所定の時間間隔は、３時間、或いは、５時間であってもよい。当然ながら、実際の応用において、上記所定の時間間隔は、その他の値であってもよく、本発明の実施例ではこれらに対して制限しない。
【００９４】
第２の実現形態において、上記映像撮影デバイスは、映像を撮影する際に、上記映像撮影デバイスが撮影した映像、及び、上記映像を撮影する時に位置する環境の環境情報を取得して、上記サーバに送信する。
【００９５】
ここで、第２の実現形態によっては、上記映像撮影デバイスにより、映像を撮影する際に、撮影した映像及び上記映像を撮影する時に位置する環境の環境情報を、タイムリーに、上記サーバに送信できて、上記映像及び上記映像を撮影する時に位置する環境の環境情報を上記サーバに送信する効率を改善した。
【００９６】
さらに、撮影パラメータに基づく上記映像の撮影を説明するために、上記映像撮影デバイスは、入力した上記映像の撮影ガイド情報を受信して、上記映像の撮影ガイド情報を上記サーバに送信してもよい。
【００９７】
ここで、上記映像撮影デバイスは、上記映像が受信されると、入力プロンプト情報を表示させて、ユーザが上記映像の撮影ガイド情報を入力するようにプロンプトしてもよい。ユーザが入力した上記映像の撮影ガイド情報が受信されると、上記映像の撮影ガイド情報を上記サーバに送信する。
【００９８】
上記映像撮影デバイスは、ウィンドウ表示、ポップアップウィンドウ表示、等の方法によって、上記入力プロンプト情報を表示させてもよいことを、説明する必要がある。当然ながら、実際の応用において、上記映像撮影デバイスは、さらに、その他の方法によって、上記入力プロンプト情報を表示してもよく、本発明の実施例ではこれらに対して制限しない。
【００９９】
上記映像撮影デバイスは、上記映像を撮影デバイスが撮影した映像、上記映像を撮影する時に位置する環境の環境情報及び上記映像の撮影ガイド情報を、上記サーバに同時に送信してもよいし、上記映像の撮影ガイド情報を別途にサーバに送信してもよく、本発明の実施例ではこれらに対して制限しないことを、さらに説明する必要がある。
【０１００】
本発明の実施例において、上記映像撮影デバイスの現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。次に、上記サンプル映像情報中には少なくとも１枚のサンプル映像が含まれており、上記映像撮影デバイスは受信した選択命令に基づいて、上記少なくとも１枚のサンプル映像中から目標サンプル映像を選択して、目標サンプル映像の撮影パラメータを目標撮影パラメータに特定する。即ち、実際の必要によって、目標サンプル映像を正確に選択して、目標撮影パラメータを特定することにより、上記映像撮影デバイスが現在撮影パラメータを特定する精度を改善した上で、上記映像撮影デバイスによって映像を撮影する撮影効果を高めた。最後に、上記サンプル映像情報中には上記少なくとも１枚のサンプル映像の中の各枚のサンプル映像の撮影ガイド情報がさらに含まれている、このため、上記目標サンプル映像を選択して現在の撮影パラメータに設定した後に、さらに、上記目標サンプル映像の撮影ガイド情報に基づいて、映像を撮影する過程を正確に調整することにより、上記映像撮影デバイスによって映像を撮影する撮影効果を改善できる。
【０１０１】
図３は、例示的な一実施例に係る撮影パラメータ設定方法を示すフローチャートである。図３を参照すると、上記撮影パラメータ設定方法は、映像撮影デバイス及びモバイル端末のインタラクティブに用いられ、以下のステップを含む。
【０１０２】
ステップ３０１において、上記モバイル端末により、現在位置する環境の環境情報及び映像撮影デバイスのデバイスパラメータを取得する。
【０１０３】
ここで、上記モバイル端末は、スマート携帯電話、タブレットＰＣ、スマート腕時計、等のような、サーバと通信を構築できる端末であってもよいし、上記映像撮影デバイスは、スマートカメラ等の映像を撮影できるデバイスであってもよい。
【０１０４】
上記モバイル端末により上記映像撮影デバイスが位置する環境の環境情報を取得する精度を改善するために、上記モバイル端末は、上記映像撮影デバイスと同一の場所に位置するモバイル端末であってもよいことを、説明する必要がある。例えば、上記モバイル端末は、上記映像撮影デバイスと同一のＬＡＮに位置するモバイル端末であるか、或いは、上記映像撮影デバイスの所定の範囲内に位置するモバイル端末であってもよく、本発明の実施例ではこれらに対して制限しない。
【０１０５】
上記所定の範囲は、上記映像撮影デバイスを中心とする半径が５０メートルの円形領域であってもよいことを、さらに説明する必要がある。当然ながら、実際の応用において、上記所定の範囲は、実際の応用によって設定されてもよく、本発明の実施例ではこれらに対して制限しない。
【０１０６】
さらに、上記映像撮影デバイスのデバイスパラメータは、上記映像撮影デバイスがサポートする撮影パラメータ範囲、或いは、上記映像撮影デバイスのデバイス識別子を含む。
【０１０７】
さらに、上記モバイル端末により上記現在位置する環境の環境情報及び映像撮影デバイスのデバイスパラメータを取得する方法は、以下の二種の方法がある。
【０１０８】
第１の方法において、上記モバイル端末は、上記映像撮影デバイスが送信した撮影パラメータ取得要請を受信すると、上記現在位置する環境の環境情報及び映像撮影デバイスのデバイスパラメータを取得する。
【０１０９】
ここで、上記モバイル端末と上記映像撮影デバイスの間のインタラクティブ回数を減少するために、また、撮影パラメータを設定する効率を改善するために、上記映像撮影デバイスのデバイスパラメータは、上記撮影パラメータ取得要請中に付加されてもよい。
【０１１０】
第２の方法において、上記モバイル端末は、撮影パラメータ取得命令を受信すると、上記現在位置する環境の環境情報及び映像撮影デバイスのデバイスパラメータを取得する。
【０１１１】
上記撮影パラメータ取得命令は、ユーザにより所定の操作を実行してトリガした命令であってもよいし、上記所定の操作は、クリック操作、タッチ操作、等の操作であってもよいことを、説明する必要がある。当然ながら、実際の応用において、上記所定の操作は、その他の操作であってもよく、本発明の実施例ではこれらに対して制限しない。
【０１１２】
さらに、第２の方法において、上記モバイル端末により上記映像撮影デバイスのデバイスパラメータを取得する操作において、上記モバイル端末により上記映像撮影デバイスにデバイスパラメータ取得要請を送信し、上記映像撮影デバイスにより上記デバイスパラメータ取得要請を受信した後に、上記モバイル端末に上記映像撮影デバイスのデバイスパラメータを送信してもよい。
【０１１３】
ここで、上記モバイル端末は、ブルートゥース、ＷＩＦＩ、等の方式によって、上記映像撮影デバイスと接続を構築して、構築した接続を利用して、上記映像撮影デバイスに上記デバイスパラメータ取得要請を送信してもよい。当然ながら、実際の応用において、上記モバイル端末は、その他の方式によって上記サーバ接続を構築をして、上記映像撮影デバイスに上記デバイスパラメータ取得要請を送信してもよく、本発明の実施例ではこれらに対して制限しない。
【０１１４】
実際の応用において、上記モバイル端末は、その他の方式によって上記映像撮影デバイスのデバイスパラメータを取得してもよいことを、説明する必要がある。例えば、一実現形態において、上記映像撮影デバイスが送信するデバイスパラメータが上記デバイス識別子を含むと、上記モバイル端末は、上記映像撮影デバイスの二次元コード、或いは、バーコードをスキャニングして、上記デバイス識別子を取得してもよく、本発明の実施例ではこれらに対して制限しない。
【０１１５】
ステップ３０２において、上記モバイル端末により、上記環境情報及び上記デバイスパラメータが付加されたサンプル映像取得要請をサーバに送信する。
【０１１６】
上記モバイル端末によりサンプル映像取得要請をサーバに送信する操作は、上記のステップ２０２の上記映像撮影デバイスによりサンプル映像取得要請をサーバに送信する操作と、同様であってもよく、本発明の実施例では、これらに対して詳細に説明しないことを、説明する必要がある。
【０１１７】
ステップ３０３において、上記サーバにより、上記サンプル映像取得要請を受信すると、上記環境情報及び上記デバイスパラメータに基づいて、少なくとも１枚のサンプル映像が含まれたサンプル映像情報を、上記映像撮影デバイスに送信する。
【０１１８】
ステップ３０３中の上記サーバにより上記環境情報及び上記デバイスパラメータに基づいて上記映像撮影デバイスにサンプル映像情報を送信する操作は、上記のステップ２０３中の上記サーバにより上記環境情報及び上記デバイスパラメータに基づいて上記映像撮影デバイスにサンプル映像情報を送信する操作と、同様であってもよく、本発明の実施例では、これらに対して詳細に説明しないことを、説明する必要がある。
【０１１９】
さらに、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
【０１２０】
ステップ３０４において、上記モバイル端末により、上記サーバが上記環境情報及び上記デバイスパラメータに基づいて送信したサンプル映像情報を受信すると、上記サンプル映像情報に含まれた少なくとも１枚のサンプル映像に基づいて、目標撮影パラメータを特定する。
【０１２１】
ステップ３０４中の上記モバイル端末により上記サンプル映像情報に含まれた少なくとも１枚のサンプル映像に基づいて目標撮影パラメータを特定する操作は、上記のステップ２０４中の上記映像撮影デバイスにより上記サンプル映像情報に含まれた少なくとも１枚のサンプル映像に基づいて目標撮影パラメータを特定する操作と、同様であってもよく、本発明の実施例では、これらに対して詳細に説明しないことを、説明する必要がある。
【０１２２】
さらに、上記モバイル端末により、上記少なくとも１枚のサンプル映像を表示し、表示された上記少なくとも１枚のサンプル映像に基づく選択命令を受信し、上記選択命令によって選択されたサンプル映像を目標サンプル映像に特定し、上記目標サンプル映像の撮影パラメータを取得し、上記目標サンプル映像の撮影パラメータを上記目標撮影パラメータに特定する。
【０１２３】
上記サンプル映像情報が、上記少なくとも１枚のサンプル映像の中の各枚のサンプル映像の撮影ガイド情報をさらに含むと、上記モバイル端末は、さらに、上記目標サンプル映像の撮影ガイド情報を表示する。
【０１２４】
ここで、上記映像撮影デバイスの保存スペースは限られており、一般的に、撮影した映像を保存するのに、使用される。それで、上記モバイル端末を利用して、上記少なくとも１枚のサンプル映像、及び、上記目標サンプル映像の撮影ガイド情報を表示してもよい。
【０１２５】
ステップ３０５において、上記モバイル端末により、上記目標撮影パラメータを上記映像撮影デバイスに送信する。
【０１２６】
上記から分かるように、上記モバイル端末は、ブルートゥース、ＷＩＦＩ、等の方式によって、上記映像撮影デバイスと接続を構築するため、上記モバイル端末は、構築した接続を利用して、上記目標撮影パラメータを上記映像撮影デバイスに送信してもよい。
【０１２７】
さらに、上記モバイル端末により、上記映像撮影デバイスが撮影した映像であって、上記映像を撮影する際の撮影パラメータが付加された映像、及び、上記映像を撮影する時に位置する環境の環境情報を取得し、上記映像及び上記映像を撮影する時に位置する環境の環境情報を上記サーバに送信して、上記サーバが上記環境情報及び上記映像の撮影パラメータに基づいて上記映像をサンプル映像として保存するようにする。
【０１２８】
ここで、上記モバイル端末により上記映像撮影デバイスが撮影した映像、及び、上記映像を撮影する時に位置する環境の環境情報を取得する操作において、上記モバイル端末により、所定の時間間隔で、上記映像撮影デバイスに時間情報が付加された映像取得要請を送信し、上記映像撮影デバイスにより、上記映像取得要請を受信すると、上記時間情報に対応される指定された時間帯内に撮影した映像及び上記映像を撮影する時に位置する環境の環境情報を上記モバイル端末に送信してもよい。
【０１２９】
上記時間情報は、時間帯を指定するための情報であり、上記時間情報は、上記モバイル端末により上記映像撮影デバイスに上記映像取得要請を送信する前に特定されてもよいことを、説明する必要がある。上記指定時間帯は、現在時間から始まる任意の時間帯であってもよい。例えば、上記指定時間帯は、２０１６年６月６日から２０１６年６月７日までの時間帯であってもよく、本発明の実施例ではこれらに対して制限しない。
【０１３０】
さらに、上記モバイル端末により、入力した上記映像の撮影ガイド情報を受信し、上記映像の撮影ガイド情報を上記サーバに送信する。
【０１３１】
ステップ３０６において、上記映像撮影デバイスにより、上記目標撮影パラメータを受信すると、上記目標撮影パラメータに基づいて上記映像撮影デバイスの現在撮影パラメータを設定する。
【０１３２】
ステップ３０６中の上記映像撮影デバイスにより上記目標撮影パラメータに基づいて上記映像撮影デバイスの現在撮影パラメータを設定する操作は、上記のステップ２０６中の上記映像撮影デバイスにより上記目標撮影パラメータに基づいて上記映像撮影デバイスの現在撮影パラメータを設定する操作と、同様であってもよく、本発明の実施例では、これらに対して詳細に説明しないことを、説明する必要がある。
【０１３３】
本発明の実施例において、上記モバイル端末現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを上記映像撮影デバイスに送信する、以指示上記映像撮影デバイス上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。
【０１３４】
図４は、例示的な一実施例に係る撮影パラメータ設定装置を示すブロック図である。図４を参照すると、上記装置は、第１取得モジュール４０１、第１送信モジュール４０２、特定モジュール４０３及び設定モジュール４０４を備える。
【０１３５】
第１取得モジュール４０１は、現在位置する環境の環境情報及び映像撮影デバイスのデバイスパラメータを取得する。
【０１３６】
第１送信モジュール４０２は、上記環境情報及びデバイスパラメータが付加されたサンプル映像取得要請をサーバに送信する。
【０１３７】
特定モジュール４０３は、上記サーバが上記環境情報及びデバイスパラメータに基づいて送信したサンプル映像情報を受信すると、上記サンプル映像情報に含まれた少なくとも１枚のサンプル映像に基づいて、目標撮影パラメータを特定する。
【０１３８】
設定モジュール４０４は、上記目標撮影パラメータに基づいて上記映像撮影デバイスの現在撮影パラメータを設定する。
【０１３９】
オプションとして、上記映像撮影デバイスのデバイスパラメータは、上記映像撮影デバイスがサポートする撮影パラメータ範囲、或いは、上記映像撮影デバイスのデバイス識別子を含む。
【０１４０】
オプションとして、上記特定モジュール４０４は、
上記少なくとも１枚のサンプル映像を表示する第１表示ユニットと、
表示された上記少なくとも１枚のサンプル映像に基づく選択命令を受信すると、上記選択命令によって選択されたサンプル映像を目標サンプル映像に特定する第１特定ユニットと、
上記目標サンプル映像の撮影パラメータを取得する取得ユニットと、
上記目標サンプル映像の撮影パラメータを上記目標撮影パラメータに特定する第２特定ユニットと
を備える。
【０１４１】
オプションとして、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
【０１４２】
オプションとして、上記特定モジュール４０４は、
上記目標サンプル映像の撮影ガイド情報を表示する第２表示ユニット
をさらに備える。
【０１４３】
オプションとして、上記装置は、
上記映像撮影デバイスが撮影した映像であって、上記映像を撮影する際の撮影パラメータが付加された映像、及び、上記映像を撮影する時に位置する環境の環境情報を取得する第２取得モジュールと、
上記映像及び上記映像を撮影する時に位置する環境の環境情報を上記サーバに送信して、上記サーバが上記環境情報及び上記映像の撮影パラメータに基づいて上記映像をサンプル映像として保存するようにする第２送信モジュールと
をさらに備える。
【０１４４】
オプションとして、上記装置は、
入力した上記映像の撮影ガイド情報を受信する受信モジュールと、
上記映像の撮影ガイド情報を上記サーバに送信する第３送信モジュールと
をさらに備える。
【０１４５】
本発明の実施例において、現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。
【０１４６】
上記の実施例の装置について、その各モジュールが実行する操作の具体的な形態は既に当該方法に関する実施例において詳細に説明したため、ここでは詳細に説明しない。
【０１４７】
図５は、例示的な一実施例に係る撮影パラメータ設定装置５００を示すブロック図である。例えば、装置５００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１４８】
図５を参照して、装置５００は、プロセスアセンブリ５０２、メモリ５０４、電源アセンブリ５０６、マルチメディアアセンブリ５０８、オーディオアセンブリ５１０、入出力（Ｉ／Ｏ）インターフェイス５１２、センサアセンブリ５１４、及び通信アセンブリ５１６のような一つ以上のアセンブリを含んでよい。
【０１４９】
プロセスアセンブリ５０２は、一般的には装置５００の全体の動作を制御するものであり、例えば、表示、電話呼び出し、データ通信、カメラ動作、及び記録動作と関連する動作を制御する。プロセスアセンブリ５０２は、一つ以上のプロセッサ５２０を含み、これらによって命令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【０１５０】
メモリ５０４は、各種類のデータを記憶することにより装置５００の動作を支援するように構成される。これらのデータの例は、装置５００において動作するいずれのアプリケーションプログラム又は方法の命令、連絡対象データ、電話帳データ、メッセージ、映像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１５１】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連付けられている他のアセンブリを含んでもよい。
【０１５２】
マルチメディアアセンブリ５０８は、前記装置５００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ５０８は、一つのフロントカメラ、及び／又はリアカメラを含む。装置５００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５３】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の動作モードにある場合、マイクは外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【０１５４】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１５５】
センサアセンブリ５１４は、装置５００に各種の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ映像センサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【０１５６】
通信アセンブリ５１６は、装置５００と他の機器の間に有線、又は利便性のよい形態の通信を提供する。装置５００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１５７】
例示的な実施例において、装置５００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１５８】
例示的な実施例において、さらに、命令を含むコンピュータ読取り可能な非一時的な記録媒体、例えば命令を含むメモリ５０４を提供しており、装置５００のプロセッサ５２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１５９】
コンピュータ読取り可能な非一時的な記録媒体は、当該記録媒体中の命令がモバイル端末のプロセッサによって実行される際に、モバイル端末に、撮影パラメータ設定方法を実行させる。
【０１６０】
上記方法は、
現在位置する環境の環境情報及び映像撮影デバイスのデバイスパラメータを取得するステップと、
上記環境情報及びデバイスパラメータが付加されたサンプル映像取得要請をサーバに送信するステップと、
上記サーバが上記環境情報及びデバイスパラメータに基づいて送信したサンプル映像情報を受信すると、上記サンプル映像情報に含まれた少なくとも１枚のサンプル映像に基づいて、目標撮影パラメータを特定するステップと、
上記目標撮影パラメータに基づいて上記映像撮影デバイスの現在撮影パラメータを設定するステップとを含む。
【０１６１】
オプションとして、上記映像撮影デバイスのデバイスパラメータは、上記映像撮影デバイスがサポートする撮影パラメータ範囲、或いは、上記映像撮影デバイスのデバイス識別子を含む。
【０１６２】
オプションとして、上記サンプル映像情報に含まれた少なくとも１枚のサンプル映像に基づいて、目標撮影パラメータを特定するステップは、
上記少なくとも１枚のサンプル映像を表示するステップと、
表示された上記少なくとも１枚のサンプル映像に基づく選択命令を受信すると、上記選択命令によって選択されたサンプル映像を目標サンプル映像に特定するステップと、
上記目標サンプル映像の撮影パラメータを取得するステップと、
上記目標サンプル映像の撮影パラメータを上記目標撮影パラメータに特定するステップとを含む。
【０１６３】
オプションとして、上記サンプル映像情報は、上記少なくとも１枚のサンプル映像の中の各枚のサンプル映像の撮影ガイド情報をさらに含み、上記撮影ガイド情報は、上記サンプル映像の撮影パラメータに基づいて映像を撮影するようにガイドするための情報である。
【０１６４】
オプションとして、表示された上記少なくとも１枚のサンプル映像に基づく選択命令を受信すると、上記選択命令によって選択されたサンプル映像を目標サンプル映像に特定するステップの後に、
上記目標サンプル映像の撮影ガイド情報を表示するステップをさらに含む。
【０１６５】
オプションとして、上記目標撮影パラメータに基づいて上記映像撮影デバイスの現在撮影パラメータを設定するステップの後に、
上記映像撮影デバイスが撮影した映像であって、上記映像を撮影する際の撮影パラメータが付加された映像、及び、上記映像を撮影する時に位置する環境の環境情報を取得するステップと、
上記映像及び上記映像を撮影する時に位置する環境の環境情報を上記サーバに送信して、上記サーバが上記環境情報及び上記映像の撮影パラメータに基づいて上記映像をサンプル映像として保存するようにするステップとをさらに含む。
【０１６６】
オプションとして、上記映像撮影デバイスが撮影した映像、及び、上記映像を撮影する時に位置する環境の環境情報を取得するステップの後に、
入力した上記映像の撮影ガイド情報を受信するステップと、
上記映像の撮影ガイド情報を上記サーバに送信するステップとをさらに含む。
【０１６７】
本発明の実施例において、現在位置する環境の環境情報及び上記映像撮影デバイスのデバイスパラメータを取得し、上記サーバにサンプル映像取得要請を送信し、上記サーバが送信したサンプル映像情報を受信すると、上記サンプル映像情報に含まれた少なくとも１枚のサンプル映像に基づいて目標撮影パラメータを特定して、上記目標撮影パラメータを現在撮影パラメータとして設定することにより、ユーザが経験に従って手動的に設定する必要がなくなって、撮影パラメータを設定する効率を改善した。また、上記サンプル映像情報は上記サーバが上記現在位置する環境の環境情報及び上記映像撮影デバイスのデバイスパラメータに基づいて送信した情報であるため、上記サンプル映像情報に基づいて特定した目標撮影パラメータが、上記映像撮影デバイスの現在位置する環境に適合し、また、上記映像撮影デバイスがサポートする撮影パラメータに属する。このため、上記映像撮影デバイスが現在撮影パラメータを特定する精度を改善して、上記映像撮影デバイスによって映像を撮影する撮影効果を改善した。
【０１６８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１６９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006538079.tif 000003
【図２】
0006538079.tif 000004
【図３】
0006538079.tif 000005
【図４】
0006538079.tif 000006
【図５】
0006538079.tif 000007